(57)【要約】【課題】立てて持っても落下させる恐れがなく、立てて置くことが可能なリモコン装置を提供する。【解決手段】操作部が配置された主操作面の裏面側に、握り指用の挿入部を有するガード部を備え、リモコン装置本体の端部と、前記ガード部とを接地させることによって立てて置くことができる。【選択図】図１
2008072407.tif 000002
【特許請求の範囲】
【請求項１】
操作部が配置された主操作面の裏面側に、握り指用の挿入部を有するガード部を備えることを特徴とするリモコン装置。
【請求項２】
リモコン装置本体の端部と、前記ガード部とを接地させることによって立てて置くことができることを特徴とする請求項１に記載のリモコン装置。
【請求項３】
立てて置く際に接地する前記リモコン装置本体の端部及び前記ガード部の接地部の少なくとも一方が弾性体で形成されていることを特徴とする請求項２記載のリモコン装置。
【請求項４】
前記ガード部は収納位置と取り出し位置との間で移動自在であることを特徴とする請求項１乃至３のいずれか１項に記載のリモコン装置。
【請求項５】
前記ガード部の移動はリモコン装置本体に設けられた回動軸による回動であることを特徴とする請求項４に記載のリモコン装置。
【請求項６】
前記ガード部の回動範囲は９０度以上であることを特徴とする請求項５記載のリモコン装置。
【請求項７】
前記取り出し位置において前記ガード部をロックするロック機構を備えることを特徴とする請求項１乃至６のいずれか１項に記載のリモコン装置。
【請求項８】
前記ロック機構は前記ガード部の弾性を利用したものであることを特徴とする請求項７記載のリモコン装置。
【請求項９】
前記収納位置において前記ガード部をロックするロック機構を備えることを特徴とする請求項４乃至８のいずれか１項に記載のリモコン装置。
【請求項１０】
該リモコン装置本体は切り欠き部を有し、前記ガード部の一部は収納位置において前記切り欠き部に嵌ることを特徴とする請求項４乃至９のいずれか１項に記載のリモコン装置。
【発明の詳細な説明】
【技術分野】
【０００１】
本発明はリモコン装置に関する。
【背景技術】
【０００２】
近年、各種電気機器、代表的には、テレビジョン装置やＡＶ機器などでは、リモコン装置によって遠隔操作できるものが主流になってきている。このようなリモコン装置は、操作面に設けられた操作ボタンの押下に応じて、赤外線などの光信号によるコマンド信号を送信する。
【０００３】
従来のリモコン装置は、外径形状が細長い板状のものが一般的である。広い面の一方が操作ボタンが配置されている操作面であり、種々の情報を表示する液晶表示部が設けられている場合もある。一般に、端面に送信部が設けられ、リモコン装置の長手方向にコマンド信号が送信される。
【０００４】
特許文献１に記載のリモコン装置では、光信号出力機構が、所定範囲内で振り子状の運動が自在なように支持された反射面が形成された又は発光素子が固定された振り子部材を備える。これにより、リモコン本体の上下方向における所定範囲内の角度変化に係わらず、コマンド信号を上下方向においてほぼ処置の方向範囲に出力することができる。
【０００５】
【特許文献１】特開平８−２２３６７１号公報
【発明の開示】
【発明が解決しようとする課題】
【０００６】
上述したような従来の形状のリモコン装置は、特に立てて持った際にうっかり落下させるおそれがある。特に、握力の弱まった高齢者の使用者が使用する場合、このような危険性が高くなる。
【０００７】
また、リモコン装置を卓上に寝かせて置いておくと、他のものにまぎれて探すのが困難になる場合があった。また、卓上での占有面積が大きかった。立てて置くことができれば、卓上での占有面積を減らすことができ、リモコン装置が目立ちやすく探しやすくなるが、従来の一般的なリモコン装置では、卓上等に立てて置くことができないか、立てて置けても倒れやすかった。固定されたスタンドを持つものや、底部を拡大させたものがあるが、使用時には邪魔になり、操作性が悪かった。
【０００８】
上述したことを鑑み、本発明の目的は、立てて持っても落下させる恐れがなく、立てて置くことが可能なリモコン装置を提供することにある。
【課題を解決するための手段】
【０００９】
本発明によるリモコン装置は、操作部が配置された主操作面の裏面側に、握り指用の挿入部を有するガード部を備えることを特徴とする。
【００１０】
好適には、リモコン装置本体の端部と、前記ガード部とを接地させることによって立てて置くことができるようにする。
好適には、立てて置く際に接地する前記リモコン装置本体の端部及び前記ガード部の接地部の少なくとも一方を弾性体で形成する。
好適には、前記ガード部は収納位置と取り出し位置との間で移動自在である。
好適には、前記ガード部の移動はリモコン装置本体に設けられた回動軸による回動である。
好適には、前記ガード部の回動範囲は９０度以上である。
好適には、前記取り出し位置において前記ガード部をロックするロック機構を備える。
好適には、前記ロック機構は前記ガード部の弾性を利用したものである。
好適には、前記収納位置において前記ガード部をロックするロック機構を備える。
好適には、該リモコン装置本体は切り欠き部を有し、前記ガード部の一部は収納位置において前記切り欠き部に嵌る。
【発明の効果】
【００１１】
本発明によれば、立てて持っても落下させる恐れがなく、立てて置くことが可能なリモコン装置が実現される。
【発明を実施するための最良の形態】
【００１２】
図１は、本発明のリモコン装置の一例を示す図である。リモコン装置本体１は、その操作面２に操作ボタン３を備える。リモコン装置本体１は、送信部４も備える。リモコン装置本体１は、電子回路及び電池を収容し、操作ボタン３が押されると、対応するコマンド信号が送信部４から送信されるように構成されている。これらの各要素は従来のリモコン装置と同様であるので、さらに詳しくは説明しない。
【００１３】
本リモコン装置は、ガード部５をさらに備える。ガード部５は、リモコン装置本体１に回転軸６を介して取り付けられており、収納位置と取り出し位置との間で開閉自在になっている。ガード部５は、握り指用の挿入部７を有する。握り指用の挿入部７は、図１のようにガード部５に設けられた開口であってもよく、ガード部５がリモコン装置本体１と共に形成するものであってもよい。
【００１４】
リモコン装置本体１は、リモコン装置本体１の中央部の幅が狭くなるように設けられた切り欠き部８を有し、手で握った場合に握りやすく、落としにくいようになっている。図２（ａ）は右手で持った場合、図２（ｂ）は左手で持った場合を示す。図２（ｃ）に示すように、ガード部５が収納位置にある場合、ガード部５の一部はこの切り欠き部に嵌り込み、リモコン装置に余計な凹凸が生じないようになっている。
【００１５】
ガード部５は、収納位置と取り出し位置とにおいて、ロック機構によってリモコン装置本体１にロックされる。
【００１６】
図３は、ガード部５の収納位置におけるロック機構の構造の一例を示す図である。ガード部５に設けられた凸部９が、リモコン装置本体１の切り欠き部８に設けられた凹部１０に嵌り込む。
【００１７】
図４は、ガード部５の取り出し位置におけるロック機構の構造の一例を示す図である。ガード部５が取り出し位置まで開かれる際、ガード部５の回転軸６の近くに設けられた突起１１が、リモコン装置本体１の内部に設けられた端部が山型に成形された板ばね１２のばね力に逆らって山型を乗り越え、ロックされる。この状態からガード部５が閉じられると、突起１１は板ばね１２のばね力に逆らって再度山型を乗り越え、ロックが解除される。
【００１８】
図５は、ガード部５の取り出し位置におけるロック機構の構造の他の例を示す図である。この例において、握り指用の挿入部７は、ガード部５とリモコン装置本体１とによって形成される開口である。ガード部５は、ある程度の弾性を有する材質で形成されるものとする。ガード部５は、回転軸６の近くに凸部１３を有する。ガード部５がその取り出し位置以外にある場合、凸部１３は、リモコン装置本体１の筐体にガード部５の弾性によって押し付けられている。ガード部５が取り出し位置まで開かれると、凸部１３はリモコン装置本体１の筐体に設けられた凹部１４に嵌り、ロックされる。ガード部５を取り出し位置から閉じる際、ガード部５の弾性に逆らって凸部１３が凹部１４から抜けるような力を加えながらガード部５を閉じれば、ロックが解除される。
【００１９】
図６は、本発明のリモコン装置の使用状態を示す図である。使用時、ユーザはガード部５を取り出し位置においてロックし、親指を除く指を、ガード部５が有する、又は、ガード部５がリモコン装置本体１と共に形成する握り指用挿入部７に差し入れ、リモコン装置を握る。ガード部５がユーザの手を包んでいるため、例えば握力の弱くなった高齢者でもリモコン装置を落とし難くなる。すなわち、ユーザがリモコン装置本体１を把持する力を緩めても、ガード部５がユーザの手に当たり、落下を防止する。
【００２０】
図７に示すように、ガード部５が取り出し位置にある場合、リモコン装置本体１の底部と、ガード部５の下部によって、リモコン装置を立てて置くことができる。好適には、接地するリモコン装置本体１の底部と、ガード部５の下部とをラバー等の弾性体によって形成し、卓上で滑らないようにする。リモコン装置を立てて置くためには、ガード部５は、収納位置から９０度以上、例えば、１００度開くようにするのが好適である。このように、本発明のリモコン装置は、卓上等に安定して立てて置くことができる。リモコン装置を立てて置くことで、卓上での占有面積を減らすことができ、目立ちやすく探しやすくなる。
【産業上の利用可能性】
【００２１】
本発明は、リモコン装置に利用可能である。
【図面の簡単な説明】
【００２２】
【図１】本発明のリモコン装置の一例を示す図であり、（ａ）は上面図、（ｂ）は正面図、（ｃ）は側面図である。
【図２】リモコン装置の切り欠き部分を説明する図であり、（ａ）はリモコン装置を左手で持った場合を示し、（ｂ）はリモコン装置を右手で持った場合を示し、（ｃ）はガード部を収納位置に閉じた場合を示す。
【図３】ガード部の収納位置におけるロック機構の構造の一例を示す図である。
【図４】ガード部の取り出し位置におけるロック機構の構造の一例を示す図である。
【図５】ガード部の取り出し位置におけるロック機構の構造の他の例を示す図である。
【図６】本発明のリモコン装置を手に持った状態を示す図である。
【図７】本発明のリモコン装置を立てて置いた状態を示す図である。
【符号の説明】
【００２３】
１  リモコン装置本体
２  操作面
３  操作ボタン
４  送信部
５  ガード部
６  回転軸
７  握り指用挿入部
８  切り欠き部
９、１３  凸部
１０、１４  凹部
１１  突起
１２  板ばね
【図１】
2008072407.tif 000003
【図２】
2008072407.tif 000004
【図３】
2008072407.tif 000005
【図４】
2008072407.tif 000006
【図５】
2008072407.tif 000007
【図６】
2008072407.tif 000008
【図７】
2008072407.tif 000009